(57)【要約】　【課題】　外部磁界に対する磁気シールド特性を向上させ、電子ビームのミスランディングを低減して良好な画像表示が可能な陰極線管を提供する。　【解決手段】　色選別電極8と、これに張力を付与しながら保持する一対の長辺フレーム43a,43bと、一対の長辺フレーム43a,43bに接合された一対の短辺フレーム44a,44bとからなる色選別電極構体41に内部磁気シールド21が接合される。内部磁気シールド21の短辺側面に、管軸に対して傾斜角θ（θ≠０度）をなす磁気遮蔽部材26a,26bが設けられる。磁気遮蔽部材26a,26bの蛍光面側端は、一対の短辺フレーム44a,44bの色選別電極8側端部を通り管軸に垂直な平面と色選別電極8との間に位置する。これにより、横磁界のみならず管軸磁界に対しても磁気シールド特性を向上させることができる。【選択図】　図２
2004071553.tif 000002
【特許請求の範囲】
【請求項１】
　蛍光面を有するパネルと、電子ビームを前記パネルに向けて射出する電子銃と、電子ビーム通過孔を有する色選別電極と、張力が印加された状態で前記色選別電極を支持する一対の長辺フレームと、前記一対の長辺フレームに接合された一対の短辺フレームと、内部磁気シールドとを備えた陰極線管であって、
　更に、前記内部磁気シールドの短辺側面に磁気遮蔽部材を備え、
　前記磁気遮蔽部材は、管軸に対して傾斜角θ（θ≠０度）にて傾斜し、
　前記磁気遮蔽部材の前記蛍光面側端が、前記一対の短辺フレームの前記色選別電極側端部を通り管軸に垂直な平面と前記色選別電極との間に位置することを特徴とする陰極線管。
【請求項２】
　前記磁気遮蔽部材は、前記内部磁気シールドの一部が延長されて形成されている請求項１に記載の陰極線管。
【請求項３】
　前記磁気遮蔽部材の管軸に対する前記傾斜角θが５度以上４５度以下である請求項１に記載の陰極線管。
【請求項４】
　前記磁気遮蔽部材の前記蛍光面側端と前記色選別電極との間の前記管軸に平行な方向における距離が３０ｍｍ以下である請求項１に記載の陰極線管。
【請求項５】
　前記色選別電極が鉄系材料からなる請求項１に記載の陰極線管。
【発明の詳細な説明】
【技術分野】
【０００１】
　本発明は、内部磁気シールドを備えた陰極線管に関する。
【背景技術】
【０００２】
　陰極線管１００は、図８に示すように、パネル部１０１、ファンネル部１０２及びネック部１０３からなる。パネル部１０１には蛍光面１０４が形成されている。ネック部１０３には電子ビーム１０６を射出する電子銃１０５が封入されている。ファンネル部１０２の外周上には電子銃１０５から射出された電子ビーム１０６を偏向させる偏向ヨーク１０７が配置される。そして、陰極線管１００内には、蛍光面１０４から電子銃１０５側に向かって、順に、蛍光面１０４に対して所定の間隔を隔てた色選別電極１０８と、これを保持するフレーム１０９と、内部磁気シールド１１０とが配置されている。
【０００３】
　電子銃１０５から射出された電子ビーム１０６は、偏向ヨーク１０７によって水平方向及び垂直方向に偏向されて、色選別電極１０８を介して蛍光面１０４に到達し、画像が映出される。
【０００４】
　このとき、所望する位置と異なる位置に電子ビームが照射する現象を「ミスランディング」と言う。このミスランディングが発生すると、色ずれと呼ばれる画質劣化を生じる。ミスランディングが生じる要因のひとつとして、地磁気などの外部磁界が挙げられる。外部磁界が電子ビームに作用すると電子ビーム軌道が曲げられて、ミスランディングを生じる。陰極線管に作用する外部磁界の方向は陰極線管の設置向きによって異なるため、ミスランディングの大きさも陰極線管の設置向きによって異なる。
【０００５】
　従って、設置向きにかかわらずに常に安定した画像表示を行うためには、できる限り外部磁界の影響を排除する必要がある。
【０００６】
　このため従来から図８に示すように、磁性体で作られた内部磁気シールド１１０等によって電子ビームの軌道のまわりを囲み、外部磁界を吸収し遮蔽することで、外部磁界の電子ビームに対する影響を低減している。この外部磁界を遮蔽する特性のことを磁気シールド特性という。
【０００７】
　この磁気シールド特性を向上する従来の陰極線管が特許文献１に開示されている。この従来の陰極線管では、内部磁気シールドの蛍光面側の短辺にさらに管軸と平行に磁性片が接合される。これにより、フレーム側面からの磁界を遮蔽して、蛍光面に対して平行な磁界に対する磁気シールド特性を向上させている。
【特許文献１】特開２００１−２３５３３号公報
【発明の開示】
【発明が解決しようとする課題】
【０００８】
　しかしながら、この従来の陰極線管では、陰極線管の設置方向によっては外部磁界を十分に遮蔽することができず、画面の色ずれが生じるケースも多くあった。
【０００９】
　本発明は上記問題を解決するためになされたものであり、外部磁界に対する磁気シールド特性をさらに向上させることにより、電子ビームのミスランディングを低減して良好な画像表示が可能な陰極線管を提供することを目的とする。
【課題を解決するための手段】
【００１０】
　本発明に係る陰極線管は、蛍光面を有するパネルと、電子ビームを前記パネルに向けて射出する電子銃と、電子ビーム通過孔を有する色選別電極と、張力が印加された状態で前記色選別電極を支持する一対の長辺フレームと、前記一対の長辺フレームに接合された一対の短辺フレームと、内部磁気シールドとを備え、更に、前記内部磁気シールドの短辺側面に磁気遮蔽部材を備える。前記磁気遮蔽部材は、管軸に対して傾斜角θ（θ≠０度）にて傾斜し、前記磁気遮蔽部材の前記蛍光面側端が、前記一対の短辺フレームの前記色選別電極側端部を通り管軸に垂直な平面と前記色選別電極との間に位置する。
【発明の効果】
【００１１】
　上記の本発明の陰極線管では、磁気遮蔽部材の蛍光面側端が、一対の短辺フレームの色選別電極側端部を通り管軸に垂直な平面と色選別電極との間に位置するので、管軸に垂直な平面（以下、「管面」という）に対して平行な磁界（以下、「横磁界」という）が色選別電極近傍へ進入するのを遮蔽することができる。
【００１２】
　また、磁気遮蔽部材は、管軸に対して平行ではなく、傾斜角θ（θ≠０度）で傾斜しているので、管面に対して垂直である管軸方向の磁界（以下、「管軸磁界」という）によって発生する、磁気遮蔽部材の蛍光面側端近傍の磁束の向きを、この近傍に偏向された電子ビームの軌道方向と略平行にすることができる。従って、電子ビームと交差する磁束を低減することができ、ミスランディングを低減することができる。
【００１３】
　更に、磁気遮蔽部材が内部磁気シールドの短辺側面に設けられているので、磁気遮蔽部材と内部磁気シールドとの間の磁気抵抗が低減する。従って、管軸磁界はこれらの内部を通過しやすくなるので、ミスランディングを一層低減することができる。
【００１４】
　以上の結果、本発明の陰極線管では、横磁界のみならず管軸磁界に対しても磁気シールド特性が向上する。
【００１５】
　従って、地磁気による電子ビームの軌道の変動を大幅に抑制することができるので、ミスランディングが防止され、これにより画面の色ずれが防止された陰極線管を提供することができる。
【発明を実施するための最良の形態】
【００１６】
　以下、本発明に係る陰極線管の一実施形態について図１〜図７を用いて説明する。
【００１７】
　まず、本発明に係る陰極線管の一実施形態の基本構造について図１を用いて説明する。
【００１８】
　本発明の一実施形態に係る陰極線管は、図１に示すように、パネル部１、ファンネル部２及びネック部３からなる。パネル部１には蛍光面４が形成されている。ネック部３には電子ビームを射出する電子銃５が封入されている。ファンネル部２の外周上には電子銃５から射出された電子ビーム６を偏向させる偏向ヨーク７が配置される。そして、色選別電極（シャドウマスク）８及びこれを保持するフレーム９からなる色選別電極構体４１が蛍光面４に対して電子銃５側に所定の間隔を隔てて配置されている。さらには、電子ビーム６を外部の磁気から遮蔽する内部磁気シールド２１が、ファンネル部２の内部の、色選別電極構体４１よりも電子銃５側に配置されている。また、色選別電極構体４１と内部磁気シールド２１との間には電子ビームを遮蔽するエレクトロンシールドが配置されている。
【００１９】
　以下に本発明の一実施形態に係る陰極線管について、特に、内部磁気シールド、色選別電極構体及びエレクトロンシールドについて図を参照しながら説明する。
【００２０】
　図２は、本発明の一実施形態に係る陰極線管における内部磁気シールド２１、エレクトロンシールド３１、及び色選別電極構体４１の分解斜視図である。以下、管軸をＺ軸とし、Ｚ軸に対して垂直な平面内の互いに垂直な２軸をＸ軸及びＹ軸として説明する。パネル部１の長辺延在方向をＸ軸、短辺延在方向をＹ軸とする。
【００２１】
　図２に示すように、磁性体からなる内部磁気シールド２１は、主として長辺側磁気シールド部２２ａ、２２ｂ（２２ｂは図示せず）と短辺側磁気シールド部２３ａ、２３ｂとからなり、これらの磁気シールド部２２ａ、２２ｂ、２３ａ、２３ｂはＺ軸に対して傾斜している。また、長辺側磁気シールド部２２ａ、２２ｂの色選別電極８側端から延在して長辺側スカート部２４ａ、２４ｂ（２４ｂは図示せず）が、短辺側磁気シールド部２３ａ、２３ｂの色選別電極８側端から延在して短辺側スカート部２５ａ、２５ｂ（２５ｂは図示せず）が形成されている。尚、長辺側スカート部２４ａ、２４ｂ、短辺側スカート部２５ａ、２５ｂは、ＸＹ平面に対して略垂直である。
【００２２】
　そして、短辺側スカート部２５ａ、２５ｂには磁性体からなる板状の磁気遮蔽部材２６ａ、２６ｂ（２６ｂは図示せず）が、Ｚ軸（あるいはＹＺ平面）に対して傾斜角θ（θ≠０度）を有するように溶接して設けられている。すなわち、磁気遮蔽部材２６ａ、２６ｂは、色選別電極８側ほど互いの間隔が拡大するように設けられている。尚、一実施例では磁気遮蔽部材２６ａ、２６ｂの傾斜角θは、ＹＺ平面に対して１５度とした。
【００２３】
　また、長辺側スカート部２４ａ、２４ｂの色選別電極８側端から延在するように、ＸＹ平面と略平行な水平スカート部２７ａ、２７ｂが形成されている。
【００２４】
　次に、エレクトロンシールド３１について説明する。エレクトロンシールド３１は、過偏向された電子ビームを遮蔽して、反射ビームによるハレーションを防止する。このエレクトロンシールド３１は、磁性体からなる矩形枠状の薄板材であり、長辺部３２ａ、３２ｂ及び短辺部３３ａ、３３ｂからなる。尚、エレクトロンシールド３１の材料は、非磁性体材料であっても構わない。
【００２５】
　次に、色選別電極構体４１について説明する。色選別電極構体４１は、複数の電子ビーム通過孔を有する色選別電極８と、その色選別電極８にＹ軸方向の張力を印加した状態で色選別電極８をその端辺で支持する一対の長辺フレーム４３ａ、４３ｂと、その一対の長辺フレーム４３ａ、４３ｂの電子銃側面に接合されて一対の長辺フレーム４３ａ、４３ｂを保持する一対の短辺フレーム４４ａ、４４ｂとからなる。
【００２６】
　上記の内部磁気シールド２１、エレクトロンシールド３１及び色選別電極構体４１の３体が、電子銃５から蛍光面４に向かってこの順に溶接により接合され固定され、その後、陰極線管に封入される。
【００２７】
　次に、本実施形態に係る陰極線管の作用について図３Ａ、図３Ｂ、図４Ａ、図４Ｂを用いて説明する。尚、図３Ａ〜図４Ｂは、内部磁気シールド及び色選別電極構体の断面を模式的に表したものであり、横磁界に対する作用については図３Ａ及び図３Ｂを用いて、管軸磁界に対する作用については図４Ａ及び図４Ｂを用いて説明する。
【００２８】
　まず、横磁界に対する遮蔽効果について説明する。
【００２９】
　図３Ａに示すように、内部磁気シールド２１に設けられた磁気遮蔽部材２６ａ、２６ｂの蛍光面側端（即ち、色選別電極８側端）５１ａ、５１ｂは、管軸（Ｚ軸）方向においては、一対の短辺フレーム４４ａ、４４ｂの色選別電極８側端部５２ａ、５２ｂを通り管軸に垂直な平面（平面α）と色選別電極８との間に位置する。また、磁気遮蔽部材２６ａ、２６ｂは管軸に対して角度θで傾斜しているので、その蛍光面側端５１ａ、５１ｂは、Ｘ軸方向においては、好ましくは、短辺フレーム４４ａ、４４ｂが存在する範囲内に位置する。
【００３０】
　図３Ａに示すように、本実施形態に係る磁気遮蔽部材２６ａ、２６ｂは、その蛍光面側端５１ａ、５１ｂが平面αと色選別電極８との間に位置しているので、横磁界の磁束Ａが短辺フレーム４４ａ、４４ｂと色選別電極８との間から管軸側に入り込むことを防止することができる。このように、横磁界の磁束Ａに対する遮蔽効果が得られるので、電子ビーム６が横磁界の磁束Ａによるローレンツ力によって曲げられることを防止することができる。
【００３１】
　特に、磁気遮蔽部材２６ａ、２６ｂの蛍光面側端５１ａ、５１ｂと色選別電極８との管軸方向における距離Ｄが３０ｍｍ以下であると、横磁界に対する遮蔽効果が一層向上し、電子ビーム６のミスランディングを低減することができるので好ましい。
【００３２】
　また、図３Ｂに示す比較例のように、磁気遮蔽部材５３ａ，５３ｂを管軸と平行に設けた場合、磁気遮蔽部材５３ａ，５３ｂの蛍光面側端（即ち、色選別電極８側端）５４ａ，５４ｂを図３Ａと同様に色選別電極８の近傍にまで延在すると、電子ビーム６と磁気遮蔽部材５３ａ，５３ｂとが干渉しやすくなる。これに対して、図３Ａに示す本実施形態では、磁気遮蔽部材２６ａ、２６ｂは、色選別電極８側ほど互いの間隔が拡大するように、管軸に対して傾斜角θで傾斜しているので、その蛍光面側端５１ａ、５１ｂを色選別電極８近傍まで延在したとしても電子ビーム６と干渉することがない。特に、上述したように、Ｘ軸方向において、蛍光面側端５１ａ、５１ｂが短辺フレーム４４ａ、４４ｂが存在する範囲内に位置すると、電子ビーム６との干渉を一層低減できるので好ましい。
【００３３】
　このように、本実施の形態の磁気遮蔽部材２６ａ、２６ｂは、電子ビーム６の衝突を回避しながら、横磁界に対して大きな遮蔽効果を得ることができる。
【００３４】
　次に、管軸磁界に対する遮蔽効果について説明する。
【００３５】
　図４Ａに示すように、本実施形態に係る磁気遮蔽部材２６ａ、２６ｂは管軸に対して傾斜角θにて傾斜して設けられているので、管軸磁界の磁束Ｂをも遮蔽することができる。
【００３６】
　また、図４Ｂに示す比較例のように、磁気遮蔽部材５３ａ，５３ｂを管軸と平行に設けた場合、内部磁気シールドに発生する反磁界によって、磁気遮蔽部材５３ａ，５３ｂの蛍光面側端５４ａ，５４ｂの近傍において、管軸側に向かい、電子ビーム６の軌道と交差する磁束Ｂ２が発生し、この磁束Ｂ２により大きなローレンツ力が生じて電子ビーム６の軌道が曲げられる。これに対して、図４Ａに示す本実施形態では、磁気遮蔽部材２６ａ、２６ｂは、色選別電極８側ほど互いの間隔が拡大するように、管軸に対して傾斜角θで傾斜しているので、内部磁気シールドに発生する反磁界によって、その蛍光面側端５１ａ、５１ｂの近傍に発生する磁束Ｂ１が電子ビーム６の軌道に対してなす角度を小さくすることができる。このように、磁気遮蔽部材２６ａ、２６ｂの蛍光面側端５１ａ、５１ｂの近傍において、電子ビーム６が交差する磁束を少なくすることができるので、電子ビーム軌道が曲げられることを防止することができる。
【００３７】
　また、磁気遮蔽部材２６ａ、２６ｂの蛍光面側端５１ａ、５１ｂが平面αと色選別電極８との間に位置しているので、即ち、磁気遮蔽部材２６ａ、２６ｂの蛍光面側端５１ａ、５１ｂと色選別電極８との管軸方向にける距離Ｄが小さいので、蛍光面側端５１ａ、５１ｂの近傍に発生する発生する磁束Ｂ１は、図４Ｂの磁束Ｂ２のように管軸側にほとんど回り込まないで色選別電極８に入り込む。従って、磁気遮蔽部材２６ａ、２６ｂの蛍光面側端５１ａ、５１ｂの近傍において、電子ビーム６が交差する磁束を更に少なくすることができるので、電子ビーム軌道が曲げられることを更に防止することができる。
【００３８】
　更に、磁気遮蔽部材２６ａ、２６ｂが内部磁気シールド２１に一体に設けられているので、磁気遮蔽部材２６ａ、２６ｂと内部磁気シールド２１との間の磁気抵抗が低減する。従って、管軸磁界の磁束Ｂはこれらの内部を通過しやすくなるので、管軸磁界に対する遮蔽効果が一層向上する。
【００３９】
　次に、本実施形態に係る陰極線管について磁気シールド特性の向上効果を確認するために行った実験について説明する。実験に用いた陰極線管は、対角サイズが７６ｃｍ、偏向角が１００度であり、内部磁気シールド（ＭＳ）２１、エレクトロンシールド（ＥＳ）３１、及び色選別電極構体（Ｆ）４１はすべて鉄系材料からなる。これら３体の各寸法は、図５に示すように、短辺側スカート部２５ａ、２５ｂのＹ軸方向長さＭＳｌ＝３４０ｍｍ、長辺側スカート部２４ａ、２４ｂのＸ軸方向長さＭＳｗ＝５８０ｍｍ、水平スカート部２７ａ、２７ｂに対する内部磁気シールド２１のＺ軸方向高さＭＳｈ＝１８０ｍｍ、エレクトロンシールド３１の長辺部３２ａ、３２ｂの間隔ＥＳｌ＝２４０ｍｍ、短辺部３３ａ、３３ｂの間隔ＥＳｗ＝４９０ｍｍ、一対の長辺フレーム４３ａ、４３ｂの間隔Ｆｌ＝３４０ｍｍ、一対の短辺フレーム４４ａ、４４ｂの間隔Ｆｗ＝５９０ｍｍとした。また、板状の磁気遮蔽部材（ＭＳＢ）２６ａ、２６ｂは、Ｙ軸方向長さＭＳＢｗ＝３１０ｍｍ、水平スカート部２７ａ、２７ｂに対する色選別電極８側へのＺ軸方向の突出長ＭＳＢｈ＝２５ｍｍとした。本発明に係る実施例１，２，３，４では、磁気遮蔽部材２６ａ、２６ｂの管軸に対する傾斜角θのみを、順に５度、１５度、４５度、６０度に変更した。但し、実施例１〜４では傾斜角θにかかわらず突出長ＭＳＢｈ＝２５ｍｍで一定としたので、磁気遮蔽部材２６ａ、２６ｂの蛍光面側端５１ａ、５１ｂと色選別電極８との管軸方向にける距離Ｄ（図３Ａ参照）は２５ｍｍで一定である。
【００４０】
　比較のために、比較例１では、磁気遮蔽部材２６ａ、２６ｂを設けず、比較例２では、図３Ｂに示すように磁気遮蔽部材５３ａ，５３ｂを管軸と平行とし（即ち傾斜角θ＝０度）、水平スカート部２７ａ、２７ｂに対するＺ軸方向の突出長ＭＳＢｈ＝１０ｍｍとし、比較例３では、図３Ｂに示すように磁気遮蔽部材５３ａ，５３ｂを管軸と平行とし（即ち傾斜角θ＝０度）、水平スカート部２７ａ、２７ｂに対するＺ軸方向の突出長ＭＳＢｈ＝３５ｍｍとした。比較例１，２，３において、磁気遮蔽部材の蛍光面側端と色選別電極８との管軸方向にける距離Ｄは、順に５０ｍｍ、４０ｍｍ、１５ｍｍである。比較例１〜３は上記を除き実施例１〜４と同じである。
【００４１】
　実験では、陰極線管にいずれも５０μＴの横磁界及び管軸磁界を印加した。予め、磁界を印加する前の電子ビームの蛍光面上での衝突位置を測定しておき、この位置と上記磁界を印加し消磁処理を施した後の電子ビームの蛍光面上での衝突位置との差（ビーム移動量）を、画面の４隅のコーナー部で測定した。
【００４２】
　実験結果を表１に示す。表１におけるビーム移動量の数値は、ビーム移動量の実測値の平均値を比較例１のビーム移動量を１００としたときの相対値である。
【００４３】
【表１】
2004071553.tif 000003
　表１に示すように、本発明に係る実施例１〜４は、比較例１及び比較例２に対しては、横磁界及び管軸磁界によるビーム移動量が低下しており、磁気シールド特性が向上していることがわかる。また、実施例１〜４は、比較例３と比較すると、横磁界に対する磁気シールド特性が若干劣っている。しかしながら、比較例３と同様に、磁気遮蔽部材２６ａ、２６ｂの突出長ＭＳＢｈ＝３５ｍｍ（即ち、距離Ｄ＝１５ｍｍ）とすれば、比較例３と同等の横磁界に対する磁気シールド特性が得られることを確認した。よって、横磁界に対する磁気シールド特性に関しては、磁気遮蔽部材を色選別電極の近傍にまで設けることが好ましい。
【００４４】
　また、実施例１〜４を比較すると、磁気遮蔽部材の傾斜角θを変化させても横磁界に対する磁気シールド特性はほとんど変化しないことが分かる。しかし、管軸磁界に対する磁気シールド特性は、傾斜角θが大きいほど向上することが分かる。但し、傾斜角θが４５度を超えると管軸磁界に対する磁気シールド特性はほとんど変化しなくなる。横磁界に対する磁気シールド特性を確保するために距離Ｄをある値以下になるようにしながら傾斜角θを大きくすると、より大きな磁気遮蔽部材２６ａ、２６ｂが必要となる。この結果、一般に傾斜角θが４５度を超えると、磁気遮蔽部材２６ａ、２６ｂの蛍光面側端５１ａ、５１ｂのＸ軸方向間隔が大きくなり、内部磁気シールド２１のエレクトロンシールド３１及び色選別電極構体４１に対する組み立て性が悪化する。従って、磁気遮蔽部材の傾斜角θは５度以上４５度以下であることが好ましい。
【００４５】
　上記の実施形態では、磁気遮蔽部材２６ａ、２６ｂは内部磁気シールド２１の短辺側面に溶接して設けられていたが、内部磁気シールド２１と別個の部材とすることなく、図６に示すように、内部磁気シールド２１の短辺側スカート部２５ａ、２５ｂ（２５ｂは図示せず）の板材を延長して、内部磁気シールド２１と一体に磁気遮蔽部材２６ａ、２６ｂ（２６ｂは図示せず）を設けても構わない。一体の部材とすることにより、部品点数を削減することができるとともに、磁気遮蔽部材の取り付け工程を削減することができる。更に、溶接などで接合する場合に比べて、磁気遮蔽部材と内部磁気シールドとの境界部での磁気抵抗が大幅に低減するので、管軸磁界がこれらの内部を通過しやすくなり、ミスランディングを一層低減することができる。上記の実施例１〜４において、磁気遮蔽部材２６ａ、２６ｂを、溶接ではなく、図６に示すように短辺側スカート部２５ａ、２５ｂ（２５ｂは図示せず）の板材を延長して形成する以外は同様にして管軸磁界よるビーム移動量を測定したところ、いずれの場合もビーム移動量が約２０％低減することを確認した。
【００４６】
　また、磁気遮蔽部材２６ａ、２６ｂのその他の変形例としては、図７Ａに示すように、画面に生じる色ずれ位置に応じて適宜切り欠き７１を設けても構わない。この切り欠きは、図７Ａのように１つに限定されず複数個であっても構わない。切り欠き７１の形状は、図７Ｂに示すような三角形状（Ｖ字状）であっても構わない。また、図７Ｃに示すように、磁気遮蔽部材２６ａ、２６ｂを１カ所以上で屈曲させた屈曲形状（例えば２段折り等の多段折り形状）としても構わない。
【００４７】
　以上の実施形態に係る陰極線管において、色選別電極８を鉄系の材料で形成することにより、さらに次のような格別の効果を奏する。
【００４８】
　架張タイプの色選別電極８に付与される張力は、振動防止のためにＸ軸方向において中央部は周辺部よりも大きくなるように設定される。しかし、鉄系材料は磁気歪係数が負であるため、色選別電極８を鉄系の材料で形成した場合は、色選別電極８の中央部は周辺部に比べて磁気特性が低くなる。これにより、中央部においては外部磁界に対するミスランディングが大きくなる。従って、鉄系材料からなる色選別電極８を用いた陰極線管に、本発明の上記の磁気遮蔽部材２６ａ、２６ｂを適用することにより、ミスランディングの増大を防止することができる。尚、色選別電極８がインバー材から場合は、鉄系材料からなる場合とは逆に張力付与により磁気特性が良化するので、色選別電極８の材料が鉄系材料である場合とインバー材である場合とでは、本発明により磁気シールド特性を向上させる効果は著しく異なり、鉄系材料である場合の方が磁気シールド特性を著しく向上させることができる。
【００４９】
　上記の実施形態では、内部磁気シールド２１を構成する長辺側磁気シールド部２２ａ，２２ｂ及び短辺側磁気シールド部２３ａ，２３ｂはいずれも折り曲げられた平板からなるが、本発明はこれに限定されない。例えば、これらの磁気シールド部２２ａ，２２ｂ，２３ａ，２３ｂがプレス成形による丸みを帯びた曲面を有し、内部磁気シールド２１が全体としてドーム状であってもよく、その場合でも上記と同様の効果を奏する。
【００５０】
　以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【産業上の利用可能性】
【００５１】
　本発明に係る陰極線管は、地磁気によるミスランディングによって発生する画面の色ずれが低減されているので、良好なカラー表示を行うことができる陰極線管として広く利用することができる。
【図面の簡単な説明】
【００５２】
【図１】図１は、本発明の一実施形態に係る陰極線管の断面図である。
【図２】図２は、本発明の一実施形態に係る陰極線管の内部磁気シールド、エレクトロンシールド及び色選別電極構体の分解斜視図である。
【図３】図３Ａは、本発明の一実施形態に係る陰極線管の横磁界に対する作用を説明するための内部磁気シールド及び色選別電極構体を模式的に表した断面図である。図３Ｂは、比較例に係る陰極線管の横磁界に対する作用を説明するための内部磁気シールド及び色選別電極構体を模式的に表した断面図である。
【図４】図４Ａは、本発明の一実施形態に係る陰極線管の管軸磁界に対する作用を説明するための内部磁気シールド及び色選別電極構体を模式的に表した断面図である。図４Ｂは、比較例に係る陰極線管の管軸磁界に対する作用を説明するための内部磁気シールド及び色選別電極構体を模式的に表した断面図である。
【図５】図５は、本発明の一実施形態に係る陰極線管の効果について実験したときの内部磁気シールド、エレクトロンシールド及び色選別電極構体の各部の寸法を示す分解斜視図である。
【図６】図６は、本発明の一実施形態に係る陰極線管の内部磁気シールドの変形例を示す斜視図である。
【図７】図７Ａ〜図７Ｃは、本発明の一実施形態に係る磁気遮蔽部材の変形例を示す斜視図である。
【図８】図８は、従来の陰極線管の断面図である。
【符号の説明】
【００５３】
　１　パネル部
　２　ファンネル部
　３　ネック部
　４　蛍光面
　５　電子銃
　６　電子ビーム
　７　偏向ヨーク
　８　色選別電極
　９　フレーム
　２１　内部磁気シールド
　２２ａ、２２ｂ　長辺側磁気シールド部
　２３ａ、２３ｂ　短辺側磁気シールド部
　２４ａ、２４ｂ　長辺側スカート部
　２５ａ、２５ｂ　短辺側スカート部
　２６ａ、２６ｂ　磁気遮蔽部材
　２７ａ、２７ｂ　水平スカート部
　３１　エレクトロンシールド
　３２ａ、３２ｂ　長辺部
　３３ａ、３３ｂ　短辺部
　４１　色選別電極構体
　４３ａ、４３ｂ　長辺フレーム
　４４ａ、４４ｂ　短辺フレーム
　５１ａ、５１ｂ　磁気遮蔽部材の蛍光面側端
【図１】
2004071553.tif 000004
【図２】
2004071553.tif 000005
【図３】
2004071553.tif 000006
【図４】
2004071553.tif 000007
【図５】
2004071553.tif 000008
【図６】
2004071553.tif 000009
【図７】
2004071553.tif 000010
【図８】
2004071553.tif 000011